(57)【要約】【課題】  電池の電源効率を有効に向上させることができる電子機器を実現する。【解決手段】  ３．３Ｖ電圧検出器５は、電池２の電圧が所定電圧以上か否かを検出し、電池の電圧が所定電圧以上である場合には、ＳＷを端子Ｂに接続する。これにより、電池２の出力電圧はレギュレータによって３．３Ｖとなるように制御されて、ロジック回路に３．３Ｖの電圧が供給させることとなる。  一方、電池２の電圧が所定電圧以上でない場合には、ＳＷを端子Ａに接続する。これにより電池２の出力電圧は昇圧回路３によって５Ｖに昇圧され、レギュレータ６を介して３．３Ｖの電圧がロジック回路７に供給される。【選択図】  図１
2006081369.tif 000002
【特許請求の範囲】
【請求項１】
バッテリーからの出力電圧を第１の電圧に昇圧して出力する昇圧手段と、
入力電圧を第２の電圧となるように制御して出力する出力制御手段と、
前記バッテリーからの出力電圧が所定電圧より高いか否かを検出する検出手段と、
前記検出手段により前記バッテリーからの出力電圧が前記所定電圧より高いと検出された場合は前記バッテリーからの出力電圧を前記出力制御手段に入力させ、前記検出手段により前記バッテリーからの出力電圧が前記所定電圧より高くないと検出された場合には、前記昇圧手段によって昇圧された電圧を前記出力制御手段に入力させる制御手段と、
を備えたことを特徴とする電子機器。
【請求項２】
前記出力制御手段に入力させる電圧を、前記バッテリーからの出力電圧と前記昇圧手段によって昇圧された第１の電圧とに切り替える切替手段を備え、
前記制御手段は、
前記バッテリーからの出力電圧が前記所定電圧より高いと検出された場合は前記切替手段を制御させることにより前記バッテリーからの出力電圧を前記出力制御手段に入力させ、前記検出手段により前記バッテリーからの出力電圧が前記所定電圧より高くないと検出された場合には、前記切替手段を制御することにより前記昇圧手段によって昇圧された電圧を前記出力制御手段に入力させることを特徴とする請求項１記載の電子機器。
【請求項３】
前記第１の電圧は、前記第２の電圧より高いことを特徴とする請求項１又は２記載の電子機器。
【請求項４】
前記所定電圧は、
前記第１の電圧以下であり、且つ、前記第２の電圧以上の電圧であることを特徴とする請求項１乃至３の何れかに記載の電子機器。
【請求項５】
消費電力の大きさを検出する電力検出手段と、
前記電力検出手段により検出された消費電力の大きさにしたがって、前記検出手段が検出する所定電圧の値を切り替える切替制御手段と、
を備えたことを特徴とする請求項１乃至４の何れかに記載の電子機器。
【請求項６】
前記切替制御手段は、
前記電力検出手段により検出された消費電力が大きい場合は所定電圧の値を高い電圧値に切り替え、前記電力検出手段により検出された消費電力が大きくない場合には所定電圧の値を低い電圧値に切り替えることを特徴とする請求項５記載の電子機器。
【請求項７】
前記電子機器は、
カメラ機能を有することを特徴とする請求項１乃至６の何れかに記載の電子機器。
【請求項８】
前記電力検出手段は、
レンズや絞りを動かすためのモータが駆動している状態の時には、消費電力が大きいと検出することを特徴とする請求項７記載の電子機器。
【請求項９】
前記電子機器は、
電話機能を有することを特徴とする請求項１乃至８の何れかに記載の電子機器。
【請求項１０】
前記電力検出手段は、
待ち受け状態の時には消費電力が大きくないと検出し、発着信・送受信状態の時には、消費電力が大きいと検出することを特徴とする請求項９記載の電子機器。
【発明の詳細な説明】
【技術分野】
【０００１】
本発明は、電子機器に係り、詳しくは、電池の電源効率を有効に向上させることができる電子機器に関する。
【背景技術】
【０００２】
従来、デジタルカメラやＰＤＡ等の電子機器においては、ロジック回路を駆動させるためには３．３Ｖの電圧を、液晶やレンズモータ等を駆動させるためには５．０Ｖの電圧を必要としていた。また、そのバッテリーとして主流であるＬｉ−ＩＯＮ電池の電圧は、３．０〜４．２Ｖである。
そのため、図５に示すように、ロジック回路に安定した３．３Ｖの電圧を供給させるために、Ｌｉ−ＩＯＮ電池の電圧を５．０Ｖに昇圧してから、レギュレータによって３．３Ｖの電圧を作成していた。
【０００３】
また、下記特許公開公報には、電源電圧制御装置及び電源電圧制御装置を備えた携帯通信端末なる発明が開示されている。詳しくは制御部は、出力電圧の情報を取得して、出力電圧に対応する電源電圧値を電源電圧テーブルから取得し、ＤＣ／ＤＣコンバータの出力電圧が該取得した電源電圧値となるようにＤＣ／ＤＣコンバータを制御することにより、電池から入力される電力を電力増幅器が効率良く動作する電圧値に降圧し、この電圧を電力増幅器の電源電圧として供給するというものである。
【０００４】
【特許文献１】公開特許公報  特開平２００２−２９０２４７（段落「００１４」〜段落「００２５」参照）
【発明の開示】
【発明が解決しようとする課題】
【０００５】
しかしながら、従来の電子機器等にあっては、電池の電圧を一度昇圧してから降圧していたため、電源効率が非常に悪くなってしまうという問題点があった。
また、このような問題点は、上記した特許文献に記載の技術でも解決することができるというものではなかった。
【０００６】
そこで本発明は、かかる従来の問題点に鑑みてなされたものであり、電池の電源効率を有効に向上させることができる電子機器を提供することを目的とする。
【課題を解決するための手段】
【０００７】
上記目的達成のため、請求項１記載の発明による電子機器は、バッテリーからの出力電圧を第１の電圧に昇圧して出力する昇圧手段と、
入力電圧を第２の電圧となるように制御して出力する出力制御手段と、
前記バッテリーからの出力電圧が所定電圧より高いか否かを検出する検出手段と、
前記検出手段により前記バッテリーからの出力電圧が前記所定電圧より高いと検出された場合は前記バッテリーからの出力電圧を前記出力制御手段に入力させ、前記検出手段により前記バッテリーからの出力電圧が前記所定電圧より高くないと検出された場合には、前記昇圧手段によって昇圧された電圧を前記出力制御手段に入力させる制御手段と、
を備えたことを特徴とする。
【０００８】
また、例えば、請求項２に記載されているように、前記出力制御手段に入力させる電圧を、前記バッテリーからの出力電圧と前記昇圧手段によって昇圧された第１の電圧とに切り替える切替手段を備え、
前記制御手段は、
前記バッテリーからの出力電圧が前記所定電圧より高いと検出された場合は前記切替手段を制御させることにより前記バッテリーからの出力電圧を前記出力制御手段に入力させ、前記検出手段により前記バッテリーからの出力電圧が前記所定電圧より高くないと検出された場合には、前記切替手段を制御することにより前記昇圧手段によって昇圧された電圧を前記出力制御手段に入力させるようにしてもよい。
【０００９】
また、例えば、請求項３に記載されているように、前記第１の電圧は、前記第２の電圧より高くするようにしてもよい。
また、例えば、請求項４に記載されているように、前記所定電圧は、
前記第１の電圧以下であり、且つ、前記第２の電圧以上の電圧であるようにしてもよい。
【００１０】
また、例えば、請求項５に記載されているように、消費電力の大きさを検出する電力検出手段と、
前記電力検出手段により検出された消費電力の大きさにしたがって、前記検出手段が検出する所定電圧の値を切り替える切替制御手段と、
を備えるようにしてもよい。
【００１１】
また、例えば、請求項６に記載されているように、前記切替制御手段は、
前記電力検出手段により検出された消費電力が大きい場合は所定電圧の値を高い電圧値に切り替え、前記電力検出手段により検出された消費電力が大きくない場合には所定電圧の値を低い電圧値に切り替えるようにしてもよい。
【００１２】
また、例えば、請求項７に記載されているように、前記電子機器は、
カメラ機能を有するようにしてもよい。
また、例えば、請求項８に記載されているように、前記電力検出手段は、
レンズや絞りを動かすためのモータが駆動している状態の時には、消費電力が大きいと検出するようにしてもよい。
【００１３】
また、例えば、請求項９に記載されているように、前記電子機器は、
携帯電話機能を有するようにしてもよい。
また、例えば、請求項１０に記載されているように、前記電力検出手段は、
待ち受け状態の時には消費電力が大きくないと検出し、発着信・送受信状態の時には、消費電力が大きいと検出するようにしてもよい。
【発明の効果】
【００１４】
請求項１又は２記載の発明によれば、バッテリーからの出力電圧が所定電圧であるか否かを検出し、所定電圧以上であれば、バッテリーからの出力電圧を出力制御手段によって第２の電圧にし、所定電圧以下であれば、バッテリーからの出力電圧を一度昇圧手段によって第１の電圧に昇圧してから、前記出力制御手段によって第２の電圧にするので、電池の電源効率を良くするこができ、省電力効果が得られる。
【００１５】
請求項３記載の発明によれば、第１の電圧は、第２の電圧より高いので、バッテリーからの出力電圧が所定電圧以上であれば、バッテリーからの出力電圧を昇圧手段によって昇圧することなく、直接出力制御手段によって第２の電圧にするので、電池の電源効率を良くするこができ、省電力効果が得られる。
請求項４記載の発明によれば、所定電圧は、第１の電圧以下であり、且つ、第２の電圧以上の電圧以上なので、バッテリーの電圧が所定電圧より大きければ、バッテリーからの出力電圧を昇圧手段によって昇圧することなく、直接出力制御手段によって第２の電圧にするので、電池の電源効率をよくすることができ、省電力効果が得られる。
請求項５又は６記載の発明によれば、消費電力を検出し、消費電力の大きさにしたがって、所定電圧を切り替えるので、有効に電池を使用することができる。
【００１６】
請求項７記載の発明によれば、カメラ機能を有するので、デジタルカメラ等のカメラの電池を有効に使用することができる。
請求項８記載の発明によれば、レンズや絞りを動かすためのモータが駆動している状態の時には、消費電力が大きいと検出して、所定電圧を高くするので、電池を有効に使用することができる。
【００１７】
請求項９記載の発明によれば、携帯電話機能を有するので、携帯電話機の電池を有効に使用することができる。
請求項１０記載の発明によれば、待ち受け状態の時には消費電力が大きくないと検出して所定電圧を低くし、発着信・送受信状態の時には消費電力が大きい検出して所定電圧を高くするので、電池を有効に使用することができる。
【発明を実施するための最良の形態】
【００１８】
以下、本実施の形態について、図面を参照して詳細に説明する。
[実施の形態]
Ａ．電子機器の構成
図１は、本発明の電子機器の電気的な概略構成を示すブロック図である。ここでは、本発明の電子機器をデジタルカメラに適用して説明する。
電子機器１は、電池２、昇圧回路３、負荷部４、３．４Ｖ電圧検出器５、レギュレータ６、ロジック回路７から構成されている。
【００１９】
電池２の電圧は、３．０〜４．２Ｖである。昇圧回路３は、電池２のから入力された電圧を５．０Ｖに昇圧し、負荷部に５Ｖの電圧を供給する。また、ＳＷが端子Ａに接続されているときは、昇圧回路３は、レギュレータ６に５Ｖの電圧を出力する。この昇圧回路は、本発明の昇圧手段に相当する。
負荷部４は、デジタルカメラのレンズや絞りを動かすためのモータドライバやモータ、液晶などを含み、５Ｖ電圧を必要とする。
【００２０】
３．４Ｖ電圧検出器５は、電池２の電圧が３．４Ｖ以上か否かを検出し（検出手段）、３．４Ｖ以上の場合には、ＳＷ（切替手段）を端子Ｂの方に接続させる。また、電池２が３．４Ｖ以上でないと検出するとＳＷを端子Ａの方に接続させる（制御手段）。
レギュレータ６は、入力された電圧が３．３Ｖとなるように制御して、３．３Ｖの電圧をロジック回路７に供給する。このレギュレータ６は、本発明の出力制御手段に相当する。
ロジック回路７は、デジタルカメラのＣＰＵやメモリなどを含み、３．３Ｖ電圧を必要とする。
【００２１】
Ｂ．次に電子機器の動作について説明する。
３．４Ｖ電圧検出器５は、電池２の電圧が３．４Ｖ以上であると検出すると、ＳＷを端子Ｂに接続する。これにより、電池２の電圧は直接レギュレータ６に入力され、レギュレータ６は入力された電圧を３．３Ｖとなるように制御して、ロジック回路７に３．３Ｖの電圧を供給する。
【００２２】
一方、３．４Ｖ電圧検出器は、電池２の電圧が３．４Ｖ以上でないと検出すると、ＳＷを端子Ａに接続する。これにより電池２の電圧は昇圧回路３によって５Ｖに昇圧され、５Ｖの電圧がレギュレータ６に入力される。レギュレータ６は、入力された電圧が３．３Ｖとなるように制御して、ロジック回路７に３．３Ｖの電圧を供給する。
負荷部４には、電池２の電圧が３．４Ｖ以上か否かにかかわりなく、昇圧回路３によって５Ｖに昇圧された電圧が供給される。
【００２３】
次に、ロジック回路７に供給する３．３Ｖの電圧を電池２の電圧から作成する回路（３．３Ｖ作成回路）について特に説明する。
Ｃ．作成回路の構成
図２は、３．３Ｖ作成回路を示す図である
３．３Ｖ作成回路は、電池２、昇圧回路３、レギュレータ６、ｐチャネル形ＭＯＳＦＥＴ１（以下、ＭＯＳ１という）、ｐチャネル形ＭＯＳＦＥＴ２（以下、ＭＯＳ２という）、ｎｐｎ形トランジスタＴｒ（以下、トランジスタＴｒという）、抵抗Ｒ１、抵抗Ｒ２、抵抗Ｒ３、抵抗Ｒ４、抵抗Ｒ５、コンパレータＣＯＭ、ダイオードＤから構成されている。
【００２４】
電池２の正極は、ＭＯＳ１のソース側に接続されており、ＭＯＳ１のドレインとダイオードＤのアノードが接続されている。また、ＭＯＳ１のソースとゲートは抵抗Ｒ１を介して接続されており、ＭＯＳ２のドレインとソース間のダイオードは、寄生ダイオードである。
また、ダイオードＤのカソードとレギュレータ３の入力端子とが接続されている。このレギュレータ６は、出力端子から出力される電圧が３．３Ｖとなるように制御を行う。レギュレータ６の出力端子は、ロジック回路７に接続されている。
ダイオードＤは、電池への逆電流防止用としての機能を果たしている。
【００２５】
また、電池２の正極には、昇圧回路３の入力端子と、コンパレータＣＯＭの＋側端子とが接続されており、コンパレータＣＯＭの−側端子はグランドＧＮＤされている。この昇圧回路３は、入力端子から入力された電圧を５．０Ｖに昇圧して出力端子から５Ｖ電圧を出力するものであり、コンパレータＣＯＭは、電池２の電圧が３．４以上か否かを検出する比較器である。ここでは、コンパレーＣＯＭの形態の１つであるＮｃｈオープンドレイン（アクティブ：Ｌ）を使用している。
昇圧回路３の出力端子とＭＯＳ２のソースが接続されており、ＭＯＳ２のゲートとコンパレータＣＯＭの出力端子は、抵抗Ｒ５を介して接続されている。
【００２６】
また、ＭＯＳ２のソースとゲートは抵抗Ｒ４を介して接続されており、ＭＯＳ２のドレインとソース間のダイオードは寄生ダイオードであり、ＭＯＳ２のドレインとレギュレータ３の入力端子は接続されている。
また、ＭＯＳ１のゲートとトランジスタＴｒのコレクタとが接続されており、トランジスタＴｒのベースとコンパレータＣＯＭの出力端子とが抵抗Ｒ２を介して接続されている。トランジスタＴｒのベースとエミッタは抵抗Ｒ３を介して接続されており、トランジスタＴｒのエミッタはグランドＧＮＤされている。
【００２７】
Ｄ．次に、３．４Ｖ作成回路の動作について説明する。
電池２の電圧が３．４Ｖ以上である場合には、コンパレータＣＯＭの出力は、Ｈｉｇｈとなる。コンパレータＣＯＭの出力がＨｉｇｈの場合には、ＭＯＳ２はＯｆｆ状態、トランジスタＴｒはＯｎ状態、ＭＯＳ１はＯｎ状態となる。したがって、電池２の電圧は、ＭＯＳ１、ダイオードＤを介して、レギュレータ６によって３．３Ｖとなるように制御され、ロジック回路７に３．３Ｖの電圧が供給されることとなる。
【００２８】
一方、電池２の電圧が３．４Ｖ以上でない場合には、コンパレータＣＯＭの出力は、Ｌｏｗとなる。コンパレータＣＯＭの出力がＬｏｗの場合には、ＭＯＳ２はＯｎ状態、トランジスタＴｒはＯｆｆ状態、ＭＯＳ１もＯｆｆ状態となる。したがって、電池の電圧は、昇圧回路３を介して５Ｖに昇圧され、ＭＯＳ２を介してレギュレータ６によって３．３Ｖとなるように制御され、ロジック回路７に３．３Ｖの電圧が供給されることとなる。
【００２９】
以上のように実施の形態によれば、電池２の電圧が３．４Ｖ以上であるか否かを判断し、３．４Ｖ以上であれば、電池２の電圧をわざわざ５Ｖに昇圧することなく、直接レギュレータ６によって３．３Ｖにするので、電池の電源効率をよくすることができ、省電力効果が得られる。
【００３０】
なお、３．４Ｖ作成回路においては、ＭＯＳとトランジスタＴｒを組み合わせた回路を使用したが、図３に示すように、ダイオードとＭＯＳ２のみを組み合わせて簡素化するようにしてもよい。
また、３．４Ｖ電圧検出器により、電池２の電圧が３．４Ｖか否かを検出するようにしたが、これに限られるものではなく、例えば、３．３Ｖや３．５Ｖ等の任意の電圧を検出して、ＳＷを切り替えるようにしてもよい。
【００３１】
［変形例］
上記した実施の形態は、次のような変形例も可能である。
変形例では、本発明の電子機器を携帯電話機に適用して説明する。
変形例は、携帯電話の待ち受け状態と、着信等の状態とでは、負荷電流が大きく異なるため、単に、電池の電圧を検出してＳＷの切り替えを行うだけでなく、携帯電話の動作状態をも監視して検出する電圧（検出電圧）の大きさの切り替えを行うというものである。
【００３２】
Ｅ．電子機器の構成
図４は、変形例の電子機器の電気的な概略構成を示すブロック図である。
図１と同様の構成部については同一の符号を付してある。
電子機器８は、電池２、昇圧回路３、負荷部４、レギュレータ６、ロジック回路７、３．３Ｖ電圧検出器１０、３．５Ｖ電圧検出器９、動作検出器１１から構成されている。
【００３３】
３．５Ｖ電圧検出器９は、電池２の電圧が３．５Ｖ以上か否かを検出し（検出手段）、電池２の電圧が３．５Ｖ以上であると検出すると、ＳＷを端子Ｂに接続する。一方、電池２の電圧が３．５Ｖ以上でないと検出すると、ＳＷを端子Ａの方に接続する（制御手段）。
３．３Ｖ電圧検出器１０は、電池２の電圧が３．３Ｖ以上か否かを検出し（検出手段）、電池２の電圧が３．３Ｖ以上であると検出すると、ＳＷを端子Ｂに接続する。一方、電池２の電圧が３．３Ｖ以上でないと検出すると、ＳＷを端子Ａの方に接続する（制御手段）。
【００３４】
動作検出器１１は、現在の携帯電話機の状況が待ち受け状態か否かを検出し（電力検出手段）、待ち受け状態と検出した場合は、ＳＷ´を端子Ｄに接続する（切替制御手段）。待ち受け状態は、負荷電流が小さく、消費電力も小さいので、検出電圧を低く設定する。つまり、５Ｖへの切り替え電圧を低くする。
一方、動作検出器１１は、現在の携帯電話機の状態が待ち受け状態でない、つまり、着信・発信（発着信）、送受信状態等であると検出すると、ＳＷ´を端子Ｃの方へ接続する（切替制御手段）。着信状態等である場合には、負荷電流が大きく、消費電力も大きくなるので、検出電圧を高く設定する。つまり、５Ｖへの切り替え電圧を高くする。
他の構成部の機能は、上記した実施の形態と同様なので説明を省略する。
【００３５】
Ｆ．次に動作について説明する。
動作検出器１１は、現在の携帯電話機の状態が待ち受け状態であると判断すると、ＳＷ´を端子Ｄに接続させる。
すると、３．３Ｖ電圧検出器１０は、現在の電池２の電圧が３．３Ｖ以上であるか否かを検出し、３．３Ｖ以上であると検出するとＳＷを端子Ｂに接続させる。
これにより、電池２の電圧は、直接レギュレータによって３．３Ｖに制御され、ロジック回路７に３．３Ｖの電圧が供給される。
【００３６】
一方、３．３Ｖ電圧検出器１０は、現在の電圧２の電圧が３．３Ｖ以上でないと検出すると、ＳＷを端子Ａに接続させる。
これにより、電池２の電圧は、昇圧回路３によって５Ｖに昇圧され、昇圧された５Ｖ電圧はレギュレータ６を介して３．３Ｖに制御されロジック回路に３．３Ｖの電圧が供給される。
【００３７】
動作検出器１１は、現在の携帯電話の状態が待ち受け状態でない、つまり、発着信、送受信状態等であると検出すると、ＳＷ´を端子Ｃに接続させる。
すると、３．５Ｖ電圧検出器９は、現在の電池２の電圧が３．５Ｖ以上であるか否かを検出し、３．５Ｖ以上であると検出すると、ＳＷを端子Ｂに接続させる。
これにより、電池２の電圧は、直接レギュレータによって３．３Ｖに制御され、ロジック回路７に３．３Ｖの電圧が供給される。
【００３８】
一方、３．５Ｖ電圧検出器９は、現在の電池２の電圧が３．５Ｖ以上でないと検出すると、ＳＷを端子Ａに接続させる。
これにより、電池２の電圧は、昇圧回路３によって５Ｖに昇圧され、昇圧された５Ｖ電圧はレギュレータ６を介して３．３Ｖに制御されロジック回路に３．３Ｖの電圧が供給される。
【００３９】
以上のように変形例においては、待ち受け状態か否かを検出し、待ち受け状態である場合には検出電圧を低くし、待ち受け状態でない場合、つまり、着信等の負荷や電力が大きい場合にはＳＷ´の切り替えを行って検出電圧を高くするので、有効に電池を使用することができる。
【００４０】
なお、変形例では、待ち受け状態と、待ち受け状態でない（着信状態等）と２通りで電池の電圧を検出してＳＷ´の切り替えを行ったが、ゲーム使用時など、携帯電話の多様化、つまり、消費電力の大きさに合わせて、ＳＷ´の切り替えを行う検出電圧を増やしてもよい。つまり、消費電力の大きい場合には検出電圧を高くし、消費電力が小さい場合は検出電圧を低くするようにする。
また、電池２の電圧を検出する検出器として、３．５Ｖ電圧検出器９と３．３Ｖ電圧検出器１０を用いて説明したが、これに限られるものではなく、例えば、３．４Ｖと３．０Ｖを検出するようにしてもよい。つまり、使用用途、使用状況、により任意の電圧を検出するようにしてもよい。
【００４１】
また、変形例では携帯電話器について説明したが、デジタルカメラに適用してもよい。この場合には、レンズを動かすためのモータドライバやモータ等を駆動させるときには、消費電力が大きいため、検出電圧を高くするようにしてもよい。
また、本発明では、３．３Ｖの電圧と、５．０Ｖの電圧を必要とする電子機器について説明したが、３つ以上の電圧を必要とする電子機器についても適用してもよい。
【００４２】
なお、上記各実施の形態における撮影装置は、上記の実施の形態に限定されるものではなく、カメラ付き携帯電話、ＰＤＡ、パソコン等、又はデジタルビデオカメラ等でもよく、要は２以上の電圧を必要とする電子機器であればなんでもよい。
【図面の簡単な説明】
【００４３】
【図１】本発明の実施の形態の電子機器のブロック図である。
【図２】３．３Ｖ作成回路を示す図である。
【図３】３．３Ｖ作成回路を示す図である。
【図４】変形例の電子機器のブロック図である。
【図５】従来の電子機器のブロック図である。
【符号の説明】
【００４４】
１      電子機器
２      電池（バッテリー）
３      昇圧回路（昇圧手段）
４      負荷部
５      ３．４Ｖ電圧検出器（検出手段、制御手段）
６      レギュレータ（出力制御手段）
７      ロジック回路
８      電子機器
９      ３．５Ｖ電圧検出器（検出手段、制御手段）
１０    ３．３Ｖ電圧検出器（検出手段、制御手段）
１１    動作検出器（電力検出手段、切替制御手段）
【図１】
2006081369.tif 000003
【図２】
2006081369.tif 000004
【図３】
2006081369.tif 000005
【図４】
2006081369.tif 000006
【図５】
2006081369.tif 000007